(57)【特許請求の範囲】
【請求項１】
カード体２にＩＣチップ４が埋設された小サイズのＩＣカードであるＩＣユニット１を保持対象とするホルダーであって、
ホルダーはＩＣユニット１に比べて大面積の板状体で形成したホルダー基板８を有し、ホルダー基板８にＩＣユニット１が着脱可能に嵌め込み固定される保持穴１０を通設してあり、
保持穴１０の内縁に、周回状の受壁１１が設けられており、
受壁１１で前記カード体２の周縁を受け止めることにより、ＩＣユニット１がホルダー基板８の片面側からのみ装着可能となっており、
保持穴１０の周縁に沿って溝１２を形成することにより、この溝１２と保持穴１０との間に、厚み方向および溝１２と交差する向きに弾性変形できる弾性壁１３が設けられているＩＣユニットホルダー。  
【発明の詳細な説明】
【０００１】
【産業上の利用分野】
この発明は、他の収納物の間に紛れ込みやすく紛失しやすい小サイズのＩＣカードを、紛失しにくい状態で確実に保持しておくためのホルダーと、このホルダーおよび小サイズのＩＣカードを利用して形成したＩＣカードに関する。
【０００２】
【従来の技術】
ＩＣカードは、身分証、会員証、商取引用の信用供与証、あるいはテレフォンカードやバスカードに代表されるプリペイドカード等に広く適用され、その利用対象はさらに増加しつつある。一般的なＩＣカードは、名刺大のカードの一部にＩＣチップを埋設して構成してあるが、カード体の縦横寸法を例えば１７mm×２７mmと小さくした、小サイズのＩＣカード（以下単にＩＣユニットという）が提唱されつつある。このＩＣユニットは電話機用のプリペイドカードとして開発され、とくに小形化が進む携帯用電話機に対応して、その料金決済用に小形化されたものである。
【０００３】
【発明が解決しようとする課題】
上記のように、ＩＣユニットは在来型のＩＣカードに比べて非常に小さく、例えば財布やバッグに収納した場合等に、他の収納物の間に紛れ込みやすく紛失しやすい。小形ではあってもその経済的価値は在来型のＩＣカードと異なることはなく、ＩＣユニットを紛失した場合の経済的な損失は無視できない。外形が小さいだけに、財布やバッグに対する出し入れが行いにくく、かと言って硬貨と一緒に収納するような場合には、カード表面に露出する接続端子が硬質で傷付けられて、使用不能になることもあり得る。
【０００４】
この発明の目的は、不使用時のＩＣユニットを紛失しにくい状態で収納保存するのに好適なホルダーを提供することにある。
この発明の他の目的は、財布やバッグ等に余分な場所をとることなく収納でき、その出し入れを容易に行うことができるホルダーを提供することにある。
この発明の他の目的は、ＩＣユニットを容易に着脱できるホルダーを提供することにある。
【０００５】
この発明の別の目的は、ＩＣユニットとそのホルダーを利用して、製造に要するコストが少なくて済むＩＣカードを得ることにある。
【０００６】
【課題を解決するための手段】
この発明のホルダーは、ＩＣチップ４が埋設された小サイズのＩＣカードであるＩＣユニット１を保持対象とするホルダーであって、ホルダーはＩＣユニット１に比べて大面積の板状体で形成したホルダー基板８を有し、その板面にＩＣユニット１を受け入れる保持部９が設けてあること、ＩＣユニット１が保持部９に対して着脱可能に嵌め込み固定してあることを特徴とする。
【０００７】
具体的には、保持部９をホルダー基板８の板面に通設した保持穴１０で形成し、この保持穴１０にＩＣユニット１を嵌め込み固定する。保持部９の内縁に、ＩＣユニット１を受け止める受壁１１を設けて、ＩＣユニット１をホルダー基板８の片面からのみ装着可能とする。保持部９の周縁に沿って溝１２を形成し、この溝１２と保持穴１０との間に他の基板部位に比べて弾性変形しやすい弾性壁１３を設ける。
【０００８】
【０００９】
【００１０】
【作用】
ＩＣユニット１に比べて大面積の板状体からなるホルダー基板８を設け、その保持部９にＩＣユニット１を嵌め込み固定し、両者１・９を一体化した状態で収納するので、ＩＣユニット１が他の収納物の間に紛れ込むのを防止できる。収納時等には、ＩＣユニット１より十分に大きなホルダー基板８を出し入れするので、その取扱いを容易化できる。ホルダー基板８を板状体で形成するので、その収納に要するスペースを小さくできる。とくに、ホルダー基板８を磁気カード等と同じ大きさの矩形カード形に形成する場合には、カード収納用のポケットを利用して、そこに収納できるうえ、通常サイズのＩＣカード用のエンコーダーを利用して、ＩＣユニット１に必要な信号情報を記録できる。
【００１１】
ＩＣユニット１をホルダー基板８の片面からのみ装着可能としたホルダーによれば、ＩＣユニット１を保持穴１０に嵌め込む際に、その少なくとも一部を受壁１１で受け止めてその嵌め込み限界を規制でき、ＩＣユニット１が押し込み面とは逆の基板面の側へ突き出されてしまうのを防止できる。
保持穴１０に隣接して弾性壁１３を設けたホルダーによれば、ＩＣユニット１を保持穴１０に着脱する際に弾性壁１３がたわんで保持穴１０を変形させるので、ＩＣユニット１の装着および取り外しを容易に行える。
【００１２】
【００１３】
【発明の効果】
この発明では小さくて紛れ込みやすいＩＣユニット１を、これより十分に大きな板状体からなるホルダー基板８に装着して収納保存できるようにしたので、財布やバッグ等において、ＩＣユニット１が他の収納物に紛れて所在が判らなくなったり、他の収納物を出し入れする際に誤って落としてしまうことを一掃し、紛失しにくい状態で確実に収納保存できる。ホルダー基板８を板状体で形成するので、その収納に要するスペースを小さくできるうえ、財布やバッグに対する出し入れを容易に行うことができ、全体として小さなＩＣユニット１を携帯するのに好適なホルダーが得られる。ＩＣユニット１をホルダー基板８の保持部９に嵌め込んで保持する形態を採るので、ＩＣユニット１のホルダー基板８に対する着脱を速やかに行えるうえ、収納状態において、ＩＣユニット１が遊動して周縁壁や板面が摩滅しあるいは傷付くのを防止できる。つまり、使用状態において位置決め基準となるＩＣユニット１の周縁壁を、ホルダー基板８で保護できる。
【００１４】
【００１５】
【実施例】
図１および図２において、符号１は例えば携帯型の電話機に対応して供給されるＩＣユニットである。ＩＣユニット１はＩＣカード型のプリペイドカードであって、射出成形品からなるカード体２と、カード体２の装填部３に埋設固定した基板およびＩＣチップ４とで構成する。ＩＣチップ４はＣＰＵと、書き換え可能あるいは追記可能なメモリ素子（ＥＥＰＲＯＭやＥＰＲＯＭ）を備えており、その外表面に８個の接続端子５を有する。カード体２は左右横長の長方形状の板体からなり、そのコーナ部の一個所が斜めに切り落としてある。この切欠部を符号２ａで示す。カード体２の裏面周縁に沿って段部を設けることによって段部の表面側にフランジ壁６を張り出す。その機能は後述する。カード体２の縦横寸法は１７mm×２７mmであって、その厚み寸法は0.８４mmである。
【００１６】
上記のようにＩＣユニット２は、既に出回っている名刺大のＩＣカードに比べて小さく、紛失しやすいうえ取り扱いにくい。こうした不便を避けるために、ＩＣユニット１専用のホルダーを設ける。ホルダーは、現在流通している名刺大のＩＣカードと同形同大の板状体からなるホルダー基板８を有し、その板面の一側寄りに保持部９を通設してなる。
【００１７】
図３および図４においてホルダーは、カード体２と同じ厚みのホルダー基板８からなり、その板面にカード体２と同形の保持穴１０を通設して保持部９とする。保持穴１０の内縁に沿って段部を設け、周回状の受壁１１を設ける。この受壁１１でカード体２のフランジ壁６を受け止めて、ＩＣユニット１をホルダー基板８の片面側からのみ保持部９に装着可能とする。ＩＣユニット１の保持部９に対する着脱操作を容易化するために、保持部９の長辺周縁に沿って溝１２を形成し、この溝１２と保持穴１０との間に弾性壁１３を設ける。弾性壁１３はホルダー基板８の他の部位に比べて変形しやすく、厚み方向および溝１２と交差する向きに弾性変形できる。ホルダー基板８は射出成形法によって形成でき、成形時に保持部９や溝１２なども同時に形成する。もちろん、所定厚みの板材をプレス機で打ち抜いた後、その板面に切削加工を施して、保持部９や溝１２などを形成することができる。
【００１８】
ＩＣユニット１は上記の保持部９に嵌め込み固定されて、ホルダー基板８と一体化した状態で収納保存する。このとき、カード体２は隙間のない状態で保持穴１０と嵌合して保持固定されている。従って、ホルダー基板８を揺り動かしたり、ホルダー基板８が床面に落下して衝撃力を受ける場合にも、ＩＣユニト１が保持穴１０から脱落することはなく、装着状態を確実に維持できる。ＩＣユニット１を使用する場合には、ホルダー基板８の裏面側からＩＣユニット１を押し出して、保持穴１０との嵌合を解除する。なお、嵌合状態において、ＩＣユニット１の表裏各面は、ホルダー基板８の表面および裏面とそれぞれ面一状になっているので、例えばホルダー基板８を財布に出し入れするような場合に、ＩＣユニット１がカード収納用のポケットに引っ掛かるようなことはない。
【００１９】
【００２０】
【００２１】
【００２２】
【００２３】
【００２４】
【００２５】
【００２６】
【００２７】
【００２８】
カード体２は必ずしも既存形状である必要はなく、四角形や六角形、だ円形などの自由な外形形状で成形できる。
【図面の簡単な説明】
【図１】  ＩＣユニットとそのホルダーを分離した状態の斜視図である。
【図２】  ＩＣユニットの断面図である。
【図３】  ＩＣユニットをホルダー基板に装着した状態の平面図である。
【図４】  図３におけるＡ−Ａ線断面図である。  
【符号の説明】
１  ＩＣユニット
２  カード体
８  ホルダー基板
８Ａ  カード基板
９  保持部
１０  保持穴
【図１】
0003772278.tif 000002
【図２】
0003772278.tif 000003
【図３】
0003772278.tif 000004
【図４】
0003772278.tif 000005